(57)【要約】【課題】可溶体部を容易に目視可能とするヒュージブルリンクユニットを提供する。【解決手段】ヒュージブルリンクユニット１はハウジング３とヒューズ回路体５を備えている。ハウジング３は有底筒状のハウジング本体６と蓋体８を備えている。蓋体８は透明な材料で構成されている。ハウジング３にはヒューズ回路体５を収容する回路体収容室１６が形成されている。ヒューズ回路体５は平板状の連結プレート部１７と連結プレート部１７に可溶体部１９を介して連結された複数の端子部２０を備えている。可溶体部１９は回路体収容室１６内の蓋体８寄りの箇所に配置されている。【選択図】図２
2007179978.tif 000002
【特許請求の範囲】
【請求項１】
平板状の連結プレート部と、前記連結プレート部に可溶体部を介して連結された複数の端子部と、を備えたヒューズ回路体と、
前記ヒューズ回路体を収容する回路体収容室が内部に形成されて、該回路体収容室内に前記ヒューズ回路体を収容するハウジングと、を備えたヒュージブルリンクユニットにおいて、
前記ハウジングの外壁の一部に開口部を設け、前記可溶体部を前記回路体収容室内の前記開口部寄りの箇所に配置したことを特徴とするヒュージブルリンクユニット。
【請求項２】
前記可溶体部が、前記開口部の縁を含んだ平面と平行に配置されていることを特徴とする請求項１記載のヒュージブルリンクユニット。
【請求項３】
前記可溶体部が、前記開口部の縁を含んだ平面と交差する外壁の他の部分と平行に配置されていることを特徴とする請求項１記載のヒュージブルリンクユニット。
【請求項４】
透明な材料で構成され、かつ前記開口部を塞ぐ蓋体を備えたことを特徴とする請求項１乃至請求項３のうちいずれか一項に記載のヒュージブルリンクユニット。
【発明の詳細な説明】
【技術分野】
【０００１】
本発明は、例えば、導電性の板金により一体に形成されたヒューズ回路体と該ヒューズ回路体を収容したハウジングとを備えたヒュージブルリンクユニットに関する。
【背景技術】
【０００２】
従来から移動体としての自動車には、該自動車に搭載される各種の電子機器に過度な電流が供給されることを防止するために、各種のヒュージブルリンクユニット（例えば、特許文献１参照）が用いられている。
【０００３】
特許文献１に示されたヒュージブルリンクユニットは、連結プレート部と、前記連結プレート部に可溶体部を介して連結された複数の端子部と、を備えたヒューズ回路体と、前記ヒューズ回路体を収容するハウジングとを備えている。
【０００４】
前記連結プレート部は、平板部と、該平板部の幅方向の両端から立設した一対の側板部とを一体に備えて、側方からみてコ字状に形成されている。一対の側板部は、互いに間隔をあけて、平行に配置されている。一方の側板部には、バッテリやジェネレータなどの電源と接続する接続部が設けられている。
【０００５】
可溶体部は、他方の側板部の縁に連なっており、該他方の側板部と平行に配置されている。さらに、複数の可溶体部は、互いに間隔をあけて平行に配置されている。複数の端子部は、それぞれ、可溶体部の他方の側板部即ち連結プレート部から離れた側の縁に連なっている。端子部は、他方の側板部と可溶体部との双方と平行に配置されている。複数の端子部は、互いに間隔をあけて、平行に配置されている。それぞれの端子部には、前述した各種の電子機器が接続する。ハウジングは、絶縁性の合成樹脂で構成されており、縦長の箱状に形成されている。
【０００６】
前述したヒュージブルリンクユニットは、ハウジング内にヒューズ回路体を収容して組み立てられる。そして、ヒュージブルリンクユニットは、周知の電気接続箱に取り付けられて、該ヒューズ回路体の連結プレート部に電源が接続され、端子部に電子機器が接続される。こうして、ヒュージブルリンクユニットは、前述した自動車に搭載される。
【特許文献１】特開２００４−１２７６９６号公報
【発明の開示】
【発明が解決しようとする課題】
【０００７】
前述した特許文献１に記載されたヒュージブルリンクユニットは、前述したヒューズ回路体の平板部が上方に位置するように（電気接続箱から離れるように）、電気接続箱に接続されることが多い。このため、ハウジングの最も上方に位置する外壁を透明な樹脂で構成しても、連結プレート部を側方からみてコ字状に形成して該連結プレート部の他方の側板部に可溶体部を連ねているので、前述した透明な樹脂で構成された外壁を通して、前記可溶体部を目視することが困難であった。このように、前述した従来のヒュージブルリンクユニットは、可溶体部が溶断したか否かを確認することが困難であった。
【０００８】
したがって、本発明の目的は、可溶体部を容易に目視可能とするヒュージブルリンクユニットを提供することにある。
【課題を解決するための手段】
【０００９】
前記課題を解決し目的を達成するために、請求項１に記載の本発明のヒュージブルリンクユニットは、平板状の連結プレート部と、前記連結プレート部に可溶体部を介して連結された複数の端子部と、を備えたヒューズ回路体と、前記ヒューズ回路体を収容する回路体収容室が内部に形成されて、該回路体収容室内に前記ヒューズ回路体を収容するハウジングと、を備えたヒュージブルリンクユニットにおいて、前記ハウジングの外壁の一部に開口部を設け、前記可溶体部を前記回路体収容室内の前記開口部寄りの箇所に配置したことを特徴としている。
【００１０】
請求項２に記載の本発明のヒュージブルリンクユニットは、請求項１記載のヒュージブルリンクユニットにおいて、前記可溶体部が、前記開口部の縁を含んだ平面と平行に配置されていることを特徴としている。
【００１１】
請求項３に記載の本発明のヒュージブルリンクユニットは、請求項１記載のヒュージブルリンクユニットにおいて、前記可溶体部が、前記開口部の縁を含んだ平面と交差する外壁の他の部分と平行に配置されていることを特徴としている。
【００１２】
請求項４に記載の本発明のヒュージブルリンクユニットは、請求項１乃至請求項３のうちいずれか一項に記載のヒュージブルリンクユニットにおいて、透明な材料で構成され、かつ前記開口部を塞ぐ蓋体を備えたことを特徴としている。
【００１３】
請求項１に記載された本発明によれば、可溶体部をハウジングの外壁の一部に設けられた開口部寄りの箇所に配置しているので、該開口部を通して可溶体部を容易に目視できる。
【００１４】
請求項２に記載された本発明によれば、可溶体部が外壁の一部に設けられた開口部の縁を含んだ平面と平行に配置されているので、該開口部を通して可溶体部を確実に目視することができる。
【００１５】
請求項３に記載された本発明によれば、可溶体部が外壁の一部に設けられた開口部の縁を含んだ平面と交差する外壁の他の部分と平行に配置されているので、該可溶体部が開口部の近傍に配置される。このため、開口部を通して可溶体部を確実に目視することができる。
【００１６】
請求項４に記載された本発明によれば、開口部を蓋体で塞いでいるので、開口部を通して回路体収容室内に異物が侵入することを防止できる。蓋体が透明な材料で構成されているので、開口部を通して可溶体部を確実に目視できる。
【発明の効果】
【００１７】
以上説明したように請求項１に記載の本発明は、開口部を通して可溶体部を容易に目視できる。よって、可溶体部を容易に目視できる。
【００１８】
請求項２に記載の本発明は、可溶体部が開口部の縁を含んだ平面と平行に配置されているので、該開口部を通して可溶体部を確実に目視することができる。したがって、可溶体部を確実に容易に目視できる。
【００１９】
請求項３に記載の本発明は、可溶体部が開口部の縁を含んだ平面寄りの外壁の他の部分と平行に配置されて、該可溶体部が開口部の近傍に配置されるので、該開口部を通して可溶体部を確実に目視することができる。したがって、可溶体部を確実に容易に目視できる。
【００２０】
請求項４に記載の本発明は、開口部を蓋体で塞いでいるので、開口部を通して回路体収容室内に異物が侵入することを防止できる。蓋体が透明な材料で構成されているので、開口部を通して可溶体部を確実に目視できる。
【発明を実施するための最良の形態】
【００２１】
以下、本発明の一実施形態にかかるヒュージブルリンクユニット１を、図１ないし図４を参照して説明する。
【００２２】
ヒュージブルリンクユニット１は、移動体としての自動車に搭載される図２中に二点鎖線で示す電気接続箱２に装着される。電気接続箱２は、図２中上方に位置する表面に、リレーやヒューズなどの電気部品とともにヒュージブルリンクユニット１を装着するとともに、図２中下方に位置する表面にワイヤハーネスのコネクタが嵌合する。ワイヤハーネスは、複数の電線と該電線の端末に取り付けられたコネクタとを備えている。電線は、前述した自動車に搭載される各種の電子機器と接続している。
【００２３】
電気接続箱２は、導電性の板金で構成されて複数積層されたバスバと、該バスバ間に配置されて該バスバ同士を電気的に絶縁する絶縁板とを備えた配線盤を収容している。電気接続箱２は、リレー、ヒューズと、ワイヤハーネスの電線などとを予め定められたパターンにしたがって電気的に接続する。
【００２４】
ヒュージブルリンクユニット１は、図１及び図２に示すように、ハウジング３と、ボルト４（図２のみ示す）と、ヒューズ回路体５などを備えている。ハウジング３は、絶縁性の合成樹脂で構成され、図４に示すように、ハウジング本体６と、コネクタ部７と、透明な材料（合成樹脂）で構成された蓋体８と、を備えている。
【００２５】
ハウジング本体６は、平面形状が矩形状の底板部９と、該底板部９の外縁から立設した筒部１０とを備えて、有底筒状に形成されている。このため、ハウジング本体６には、筒部１０の縁３０ａ（後述の開口部３０の縁に相当）で囲まれた開口部３０が設けられている。即ち、前記ハウジング３の外壁の一部には、開口部３０が設けられている。開口部３０は、勿論、後述の回路体収容室１６の内外を連通している。底板部９には、貫通穴１１が設けられている。コネクタ部７は、筒状に形成されており、底板部９に設けられた貫通穴１１の内縁に連なっているとともに、該底板部９から図２中の下方に立設している。コネクタ部７の内側には、ヒューズ回路体５の後述する端子部２０が位置付けられる。コネクタ部７には、ワイヤハーネス１２のコネクタ１３が嵌合する。ワイヤハーネス１２は、複数の電線１４と該電線１４の端末に取り付けられたコネクタ１３とを備えている。電線１４は、前述した自動車に搭載される各種の電子機器と接続している。
【００２６】
蓋体８は、平板状に形成され、かつハウジング本体６に着脱自在となっている。蓋体８は、ハウジング本体６に取り付けられると、ハウジング本体６の筒部１０の底板部９から離れた側の縁３０ａで囲まれて形成された開口部３０を塞ぐ。蓋体８がハウジング本体６に取り付けられると、該蓋体８の両表面と、筒部１０の壁１５の内外面とが互いに交差（図示例では、直交）する。前述した蓋体８は、ハウジング３の外壁の一部をなしている。前述した筒部１０の壁１５は、ハウジング本体６に取り付けられた蓋体８が塞ぐ開口部３０の縁３０ａを含んだ平面Ｐ（図２中に点線で示す）と交差（図示例では直交）したハウジング３の外壁の他の部分をなしている。図示例では、平面Ｐは、縁３０ａの全周を含んでいる。本発明では、前述した縁３０ａの少なくとも三点を含んだ平面を前述した平面Ｐとする。
【００２７】
また、ハウジング３は、ヒューズ回路体５を収容する。前述したハウジング３の内側の空間（ハウジング本体６の内面と蓋体８とで囲まれる空間）は、ヒューズ回路体５を収容する回路体収容室１６をなしている。
【００２８】
ボルト４は、導電性の金属で構成されている。ボルト４は、ハウジング３の長手方向の一端部内に収容される。ボルト４は、その頭が底板部９寄りの位置し、そのねじ部が頭から前述したハウジング本体６の開口部３０に向かって立設した格好でハウジング３内に収容されている。
【００２９】
ヒューズ回路体５は、導電性の板金に打ち抜き加工や曲げ加工が施されて得られる。ヒューズ回路体５は、図３などに示すように、平板状の連結プレート部１７と、端子取付部１８と、複数の可溶体部１９と、複数の端子部２０とを備えている。
【００３０】
連結プレート部１７は、その平面形状が矩形状に形成されている。連結プレート部１７は、その長手方向がハウジング３の長手方向と平行で、かつハウジング本体６の筒部１０の壁１５の内面と平行な状態で回路体収容室１６内に収容される。端子取付部１８は、平板状に形成されており、その中央に孔２１が設けられている。端子取付部１８は、連結プレート部１７の長手方向の一方の端部に連なっており、該一方の端部から回路体収容室１６の内側即ち端子部２０に向かって立設している。端子取付部１８は、前述した孔２１内にねじ部を通した格好で、ハウジング３内に収容されたボルト４の頭に重ねられる。
【００３１】
複数の可溶体部１９は、幅と厚みの双方が、連結プレート部１７と端子部２０との双方より小さく形成されている。可溶体部１９は、一端が連結プレート部１７の蓋体８寄りの縁に連なっている。複数の可溶体部１９は、互いに等間隔でかつ平行に配置されている。それぞれの可溶体部１９の長手方向は、連結プレート部１７即ちハウジング３の長手方向に対して直交している。
【００３２】
また、可溶体部１９は、その両表面が蓋体８の両表面と平行に配置されている。即ち可溶体部１９が、蓋体８即ち前述した平面Ｐと平行に配置されている。前述した可溶体部１９は、連結プレート部１７の前述した蓋体８寄りの縁に連なることで、前述した回路体収容室１６内の蓋体８即ち前述した平面Ｐ寄りの箇所に配置されている。可溶体部１９は、連結プレート部１７などから供給されて端子部２０に向かって流れる電流の電流値が、予め定められた所定の電流値を超えると、溶断して、前述した電流の供給を停止する。
【００３３】
複数の端子部２０は、その平面形状が矩形状に形成されており、長手方向の一端部が、可溶体部１９の他端に連なっている。端子部２０は、各々一つの可溶体部１９に連なっている。このように、端子部２０と可溶体部１９とは、１対１で対応している。複数の端子部２０は、互いに等間隔でかつ平行に配置されている。それぞれの端子部２０の長手方向は、連結プレート部１７即ちハウジング３の長手方向に対して直交している。端子部２０は、前述したコネクタ部７内に位置付けられて、前述した回路体収容室１６内に収容される。
【００３４】
端子部２０は、それぞれ、平板状の端子部本体２２と、係止爪２３と、インデント部２４とを備えている。端子部本体２２は、平面形状が矩形状に形成されている。係止爪２３は、端子部本体２２の長手方向の中央に設けられ、該端子部本体２２の一部が該端子部本体２２の外方向に向かって切り起こされて形成されている。係止爪２３は、コネクタ部７の内面に係止する。インデント部２４は、端子部本体２２の可溶体部１９から離れた側の端部に設けられており、端子部本体２２の一部が該端子部本体２２の厚み方向に押し出されて形成されている。
【００３５】
前述した端子部２０は、係止爪２３がコネクタ部７の内面に係止して、前述したコネクタ部７内に位置付けられて、前述したワイヤハーネス１２のコネクタ１３がコネクタ部７に嵌合すると、該コネクタ１３の端子金具と接続する。
【００３６】
前述したヒューズ回路体５は、連結プレート部１７と端子部２０とがハウジング本体６の筒部１０の壁１５の内面と平行で、かつ可溶体部１９が蓋体８の表面と平行な状態であるとともに、端子部２０がコネクタ部７内に位置付けられた格好で前述した回路体収容室１６内に収容される。
【００３７】
前述した実施形態のヒュージブルリンクユニット１は、ハウジング本体６にボルト４とヒューズ回路体５を収容して、ハウジング本体６に蓋体８が取り付けられて、組み立てられる。このとき、ボルト４のねじ部が端子取付部１８の孔２１内を通った格好で、該ボルト４の頭に端子取付部１８が重ねられる。
【００３８】
そして、ボルト４を孔２１内に通して、端子取付部１８にバッテリやジェネレータと接続した電源と接続した電線２６が取り付けられたＬＡ端子２７の電気接触部２８が重ねられる。さらに、ボルト４のねじ部にナット２５がねじ込まれる。こうして、ヒュージブルリンクユニット１は、図１に示すように、前述したＬＡ端子２７が取り付けられて、電源から電力が供給される。
【００３９】
そして、ヒュージブルリンクユニット１は、電気接続箱２に取り付けられる。電気接続箱２内に配線盤を収容して、該電気接続箱２にリレーやヒューズなどの電気部品とワイヤハーネスのコネクタが装着される。さらに、ヒュージブルリンクユニット１のコネクタ部７にワイヤハーネス１２のコネクタ１３が嵌合する。こうして、ヒュージブルリンクユニット１は、電気接続箱２に取り付けられるとともに、電源から供給された電流を可溶体部１９を介して各種の電子機器に供給する。そして、流れる電流の電流値が前述した所定の値を超えると、可溶体部１９が溶断して、ヒュージブルリンクユニット１は、前述した電子機器に電力を供給することを停止する。
【００４０】
本実施形態によれば、可溶体部１９をハウジング３に設けられた開口部３０寄りの箇所に配置しているので、該蓋体８即ち開口部３０を通して可溶体部１９を容易に目視できる。よって、可溶体部１９を容易に目視できる。
【００４１】
また、可溶体部１９が平板状の連結プレート部１７に連なっているので、電気接続箱２に取り付けられると、該可溶体部１９が電気接続箱２の上方（電気接続箱２から最も離れた位置）に位置付けられる。よって、可溶体部１９を目視可能としても、電気接続箱２に取り付けられる際に制限を生じることがない。
【００４２】
したがって、電気接続箱２に取り付けられる際に制限を生じることなく、可溶体部１９を容易に目視可能とすることができる。
【００４３】
可溶体部１９が開口部３０の縁３０ａを含んだ平面Ｐと平行に配置されているので、該蓋体８即ち開口部３０を通して可溶体部１９を確実に目視することができる。したがって、可溶体部１９を確実に容易に目視でき、該可溶体部１９が溶断したか否かを容易に把握できる。
【００４４】
また、開口部３０を蓋体８で塞いでいるので、開口部３０を通して回路体収容室１６内に異物が侵入することを防止できる。したがって、可溶体部１９に異物が付着することを防止できる。また、蓋体８が、透明な材料で構成されているので、開口部３０を通して可溶体部１９を確実に目視できる。
【００４５】
前述した実施形態では、可溶体部１９を蓋体８即ち前述した平面Ｐと平行に配置している。しかしながら、本発明では、可溶体部１９を回路体収容室１６の蓋体８即ち開口部３０寄りの箇所に配置すれば良く、可溶体部１９を蓋体８即ち平面Ｐと平行に配置しなくても良い。
【００４６】
例えば、図５に示すように、連結プレート部１７を側方からみてく字状に形成して、可溶体部１９をハウジング３のハウジング本体６の筒部１０の壁１５と平行に配置しても良い。なお、図５において、前述した実施形態と同一部分には、同一符号を付して説明を省略する。
【００４７】
図５によれば、可溶体部１９が透明な材料の構成された蓋体８即ち開口部３０寄りで、かつハウジング本体６の筒部１０の壁１５と平行に配置されているので、蓋体８即ち開口部３０を通して可溶体部１９を確実に目視することができる。したがって、可溶体部１９を確実に容易に目視でき、該可溶体部１９が溶断したか否かを容易に把握できる。
【００４８】
前述した実施形態では、蓋体８を透明な材料で構成したが、本発明では、ハウジング本体６の筒部１０の壁１５の少なくとも一部を透明な材料で構成しても良い。さらに、前述した実施形態では、幅と厚みを他の部分より小さくすることで、可溶体部１９を構成している。しかしながら、本発明では、幅と厚みとのうち一方を小さくすることで、可溶体部１９を構成しても良い。さらに、本発明では、可溶体部１９に錫などの構成される金属片を取り付けても良い。
【００４９】
さらに、前述した実施形態では、蓋体８を設けているが、本発明では、蓋体８を設けなくても良い。この場合、開口部３０を穴としても良く、該開口部３０の縁３０ａ同士を連結する梁を設けても良い。梁を設ける場合には、複数の梁を平行に配置しても良く、該梁同士を交差させて格子状に配置しても良い。
【００５０】
なお、前述した実施形態は本発明の代表的な形態を示したに過ぎず、本発明は、実施形態に限定されるものではない。本発明の骨子を逸脱しない範囲で種々変形して実施することができる。
【図面の簡単な説明】
【００５１】
【図１】本発明の一実施形態にかかるヒュージブルリンクユニットを示す斜視図である。
【図２】図１に示されたヒュージブルユニットなどを示す分解斜視図である。
【図３】図２に示されたヒュージブルユニットのヒューズ回路体を示す斜視図である。
【図４】図１中のＩＶ−ＩＶ線に沿う断面図である。
【図５】図４に示されたヒュージブルリンクユニットの変形例の断面図である。
【符号の説明】
【００５２】
１  ヒュージブルリンクユニット
３  ハウジング
５  ヒューズ回路体
８  蓋体（外壁の一部）
１５  壁（外壁の他の部分）
１６  回路体収容室
１７  連結プレート部
１９  可溶体部
２０  端子部
３０  開口部
３０ａ  縁
Ｐ  平面
【図１】
2007179978.tif 000003
【図２】
2007179978.tif 000004
【図３】
2007179978.tif 000005
【図４】
2007179978.tif 000006
【図５】
2007179978.tif 000007